(57)【要約】本発明は、トンネル型又はドーム型のテントであって、少なくとも１つのアーチ（４）を有しており、このアーチ（４）に、対応配置された保持エレメント（３）によってシート（２）が配置されており、場合によっては案内されており、底面に互いに第１の間隔（ｌ１）を置いて両アーチ端部（６，７）の固定装置を有しており、前記第１の間隔（ｌ１）が、互いに向かい合って位置するテント側面の範囲に設けられた、アーチ（４）の２つの極点（８，９）の間の第２の間隔（ｌ２）よりも小さくなっているものに関する。
2004533568.tif 000002
【特許請求の範囲】
【請求項１】
トンネル型テントであって、該テントが、少なくとも１つのアーチ（４）を有しており、該アーチ（４）に、対応配置された保持手段（３）によってシート（２）が配置されており、場合によっては案内されており、互いに第１の間隔（ｌ１）を置いて両アーチ端部（６，７）を底面に固定する装置を有しており、前記間隔（ｌ１）が、互いに向かい合って位置するテント側面の範囲に設けられた、アーチ（４）の２つの極点（８，９）の間の第２の間隔（ｌ２）よりも小さくなっている形式のものにおいて、保持手段（１２）が設けられており、該保持手段（１２）が、極点（８，９）に外側方向へ作用するように係合することを特徴とする、トンネル型テント。
【請求項２】
それぞれのアーチ端部（６，７）及びアーチ４の内側に敷設された底面とが、角度αをなしており、この角度αが、９０°よりも大きい、有利には少なくとも１００°である、請求項１記載のテント。
【請求項３】
アーチ端部（６，７）が、地面（Ｂ）にサイドで固定するために、場合によっては先細りした終端区分によって、地面（Ｂ）自体に、若しくは地面に固定された収容部（１０）内に係合する、請求項１又は２記載のテント。
【請求項４】
前記保持手段（１２）が、外側方向へ作用するように極点（８，９）に係合する補強緊張装置の形で形成されている、請求項１から３までのいずれか１項記載のテント。
【請求項５】
前記補強緊張装置が、少なくとも１つのベルト（１３）及び／又はシート側に固定されたストラップを有している、請求項１から４までのいずれか１項記載のテント。
【請求項６】
補強緊張装置によって、外側方向へ向かって極点（８，９）に及ぼされる予荷重が調節可能になっている、請求項１から５までのいずれか１項記載のテント。
【請求項７】
極点（８，９）が、底面の上方の高さｈ１に位置しており、ｈ１が、全高さｈ２の約１／２よりも小さく形成されており、ｈ１が、有利には全高さｈ２の約１／３に相当する、請求項１から６までのいずれか１項記載のテント。
【請求項８】
それぞれのアーチ（４）が、望ましい屈曲及び／又は望ましい角度αに対応して、少なくとも部分的に前もって湾曲されている、請求項１から７までのいずれか１項記載のテント。
【発明の詳細な説明】
【技術分野】
【０００１】
本発明は、トンネル型又はドーム型テントであって、アルミニウム、プラスチック又はこれに類するような弾性的な材料からなる少なくとも１つのアーチを有しており、このアーチに、対応配置された保持手段によって、シートが配置又は案内されている形式ものに関する。
【０００２】
この形式のテントは公知である。このようなテントは、半円形の横断面を有している。このことは、アーチとテント壁とが、地面の上方のわずか数ｃｍあとには既に内部空間の方向へ延びてしまうという欠点に結びついている。これにより、側面耐風安定性は減少してしまい、有効内部空間はわずかである。
【０００３】
そこで本発明の課題は、トンネル型又はドーム型のテントを改良して、特に公知のテントの上記のような欠点を防止することである。
【０００４】
この課題は、冒頭で述べた形式のテントが主に請求項１に記載の特徴を有することにより解決される。これによれば、アーチの両端部は、互いに第１の間隔を置いて固定されており、この第１の間隔は、互いに向かい合って位置するテント側面の範囲にあるアーチの２つの極点の間の間隔よりもわずかである。これにより、側風に対するより大きな抵抗が得られる。テント内部空間には、さらに地面の上方にテント設営面の幅を超える有効幅が生じる。このような手段によって、一定の設営場所において有効内部空間の拡大がもたらされる。
【０００５】
それぞれのアーチ端部とこのアーチの内部に敷設される底面とが、９０°よりも大きい、有利には少なくとも１００°の角度αをなす場合、側風に対して特に安定性良いテント構成が得られる。
【０００６】
アーチ端部は、地面にサイドで固定するために、場合によっては先細りした終端区分によって、地面自体に、若しくは別個に固定された収容部に係合する。
【０００７】
本発明の別の構成では、少なくとも１つの保持手段が設けられており、この保持手段は、極点に、外側方向へ作用するように係合する。このことにより、繰り返されるテント組立及び解体時に極点のさらなる安定化並びに再現可能な位置が得られる。
【０００８】
前記保持手段が、例えばほぼ三角形で描かれる補強緊張装置として形成されており、この補強緊張装置が、少なくとも１つのベルト及び／又はシート側に固定された少なくとも１つのストラップを有しており、このストラップが極点に係合する場合、特に有利であることが判明した。それぞれの緊張ベルトは、使用時に任意に延長又は短縮することができる。ストラップは特に簡単な取扱い性により優れている。
【０００９】
補強緊張装置が調節可能になっている場合、及ぼされる引張り応力は支配的な条件、例えば風条件に任意に適合させることができる。この引張り応力は、アーチ材料の所定の撓み時には、アーチに半円形とは異なる望ましい形を与えるために貢献することができる。
【００１０】
底面の上方にある極点の高さｈ１が、全高さｈ２の約１／２よりも小さく、有利には全高さｈ２の１／３のところに位置している場合、さらに有利である。この配置は、高い風力時に特に安定性良いことが判明した。
【００１１】
本発明の別の構成によれば、アーチは弾性的な材料、例えばアルミニウム、ガラス繊維材料又は炭素繊維材料から成っている。弾性的なアーチに、望ましい湾曲を完全に補強緊張装置によってのみ形成する必要がないように、そして取扱い性を簡易化するために、アーチは塑性的に少なくとも前もって湾曲されていてよい。
【００１２】
本発明のさらなる特徴、利点及び使用可能性が、次の実施例の説明及び図面から明らかである。この場合に、記述により及び／又は図面により示した全ての特徴は、それ自体で、そして任意の有意義な組合せにおいて、個々の請求項又は従属請求項におけるこれらの特徴の要点とは独立した形でも本発明の対象を形成する。
【００１３】
図１に示したトンネル型又はドーム型のテント１は、高い耐風安定性のもとで、わずかな設営場所において、より大きい有効内部空間が提供されるという利点に結びついている。テント１の主な構成部材はシート２であり、このシート２は、基本的にはインナテント又はアウタテントの形で設けられていてよい。この図面は、アウタテントの形で使用するためのシート２を示している。シート２は外側に、弾性的なアーチ４を収容し、案内するための保持手段３を有している。この保持手段３は、例えばシート側に固定された通路のようなポケット又はチューブであってよい。このポケット又はチューブ内に、アーチ４が通される。図１から判るように、アーチ端部６，７は第１の規定の間隔ｌ１で地面に固定される。この間隔ｌ１は、シート２の側面の膨らみの２つの外側の極点８，９の間に設けられた第２の規定の間隔ｌ２よりも小さく形成されている。両極点８，９の間には、最大間隔ｌ２（内部空間幅）の範囲が延びている。この最大間隔ｌ２は、地面Ｂの上方の高さｈ１に位置している。この間隔ｌ１は、別個の保持手段によって、例えばテント底部を形成する抗張力性のマット５の形で確保されていてよい。抗張力性のベルトをマット５の代わりに、又はマット５に付加的に設けてもよい。この保持手段は、それぞれのアーチ端部６，７のために、地面に対して相対的に固定された収容部１０を有していてもよい。この収容部１０は、アーチ端部６，７を挿入可能な、例えばはと目、スリーブ又はこれに類するものであってよい。図２から判るように、下側のアーチ端部７は、円錐状に先細りするように形成されていてよく、これにより、単にこの先細り部によって収容部１０内に差込み可能となる。この場合、厚い部分は収容部１０の上側に載置されている。互いに規定の間隔を置いて設けられた２つの収容部１０によって、アーチ端部６，７の間隔ｌ１が得られる。
【００１４】
アーチ端部６，７と、アーチ４の下方に位置する面（設営面）との間に形成される角度αは、強風条件時の改善された安定性のために、９０°以上、有利には少なくとも１００°又はそれ以上にまでに達する。要求される角度＞９０°は、この角度に対応する、汎用のトンネル型テントの半円形とは異なった（より大きな）内側方向屈曲又は内側方向湾曲をアーチ４に設けることよって、アーチ端部６，７の範囲に実現することができる。
【００１５】
特に図２から判るように、第２の保持手段１２が設けられており、この第２の保持手段１２は、アーチ４の範囲でそれぞれ極点８，９に係合する。この保持手段１２は補強緊張装置として形成されており、この補強緊張装置は選択的に、調節可能なベルトロック１４を備えたベルト１３又はシート側に固定された緊締可能なストラップ（図示していない）を有している。このストラップの最上点はそれぞれの極点８，９と一致している。補強緊張装置が調節可能になっていると有利である。これにより、極点８，９で外側方向に向けられる張力を調節することができる。さらに、ベルト１３又はストラップの自由な端部を固定するためには、テント壁に対して相対的に任意の間隔を置いて、ペグ１５を地面Ｂに打ち込むことが可能である。次いで、ベルトロック１４は適当な長さに調節され、ベルト１３若しくはストラップが必要な形式で緊張される。
【００１６】
図１から判るように、極点８，９は地面Ｂの上方の高さｈ１に位置している。この高さｈ１は、最高でも全高さｈ２の約１／２のところに位置しているが、全高さｈ２の約１／３のところに位置していると有利である。
【００１７】
当然ながら、アーチ４は弾性的な材料、例えばアルミニウム、ガラス繊維材料又は炭素繊維より成っていてよい。さらに、アーチ４は、複数のセグメントからつなぎ合わされていてよい。アーチ４が望ましいテント形に合わせて少なくとも部分的に前もって湾曲されており、そのまま保持手段１２によって必要な予荷重下でこの形に保持される場合、テント１の組立は簡易化される。テント組立時に、それぞれのアーチ４は補強緊張装置の形で形成された保持手段１２，１４によってようやく最終的に屈曲又は湾曲された形になる。
【図面の簡単な説明】
【００１８】
【図１】本発明のテントの概略的な側面図である。
【００１９】
【図２】図１の側部のテント補強緊張装置の範囲を拡大して示した詳細図である。
【国際公開パンフレット】
2004533568.tif 000003
2004533568.tif 000004
2004533568.tif 000005
2004533568.tif 000006
2004533568.tif 000007
2004533568.tif 000008
2004533568.tif 000009
2004533568.tif 000010
2004533568.tif 000011
2004533568.tif 000012
2004533568.tif 000013
【国際調査報告】
2004533568.tif 000014
2004533568.tif 000015
2004533568.tif 000016
2004533568.tif 000017